(57)【要約】【課題】油受皿内に浮遊する金属鉱物系の異物の量を減らし、ポンプの内部に吸い上げられてポンプ内部を腐食させる現象を抑えるものである。【解決手段】油受皿２に給油タンク１のキャップ１ａを包囲するようにオイルフィルタ７を具備し、油受皿２と燃焼部４の気化器５をポンプ６を介して送油パイプ３で連結したカートリッジ式石油燃焼機において、前記オイルフィルタ７は有底円筒形で周側面に細目フィルタ７ａを具備し、底面の中央部にキャップ１ａの弁機構を開閉するボス７ｆを設け、上面に油受皿２の上面に開口した円形穴２ａの周縁部に載置されるフランジ７ｇを備え、細目フィルタ７ａの外周に有底円筒状の磁化フィルタ７ｂを具備し、前記フィルタ７と磁化フィルタ７ｂの底面間に磁化フィルタ７ｂと磁気的につながる磁性体７ｃを具備する。【選択図】  図２
2004286263.tif 000002
【特許請求の範囲】
【請求項１】
給油タンク（１）の下面に弁機構を有するキャップ（１ａ）を着脱自在に取り付け、この給油タンク（１）からの灯油を受ける油受皿（２）にキャップ（１ａ）を包囲するようにオイルフィルタ（７）を具備し、油受皿（２）と燃焼部（４）の気化器（５）をポンプ（６）を介して送油パイプ（３）で連結したカートリッジ式石油燃焼機において、前記オイルフィルタ（７）は有底円筒形で周側面に細目フィルタ（７ａ）を具備し、底面の中央部にキャップ（１ａ）の弁機構を開閉するボス（７ｆ）を設け、上面に油受皿（２）の上面に開口した円形穴（２ａ）の上縁部に載置されるフランジ（７ｇ）を備え、細目フィルタ（７ａ）の外周に有底円筒状の磁化フィルタ（７ｂ）を具備し、前記フィルタ（７）と磁化フィルタ（７ｂ）の底面間に磁化フィルタ（７ｂ）と磁気的につながる磁性体（７ｃ）を具備することを特徴とするカートリッジ式石油燃焼機。
【発明の詳細な説明】
【０００１】
【発明の属する技術分野】
本発明は、油受皿内の灯油に混入する金属鉱物系の微小な異物を浄化してポンプで吸い上げるのを防止するカートリッジ式石油燃焼機に関するものである。
【０００２】
【従来の技術】
従来のこの種の石油燃焼機は、図３に示すように、給油タンク１の下面に弁機構を有するキャップ１ａを着脱自在に取り付け、この給油タンク１からの油を受ける油受皿２にキャップ１ａを包囲するように樹脂製のオイルフィルタ７を具備し、油受皿２と燃焼部４の気化器５をポンプ６を介して送油パイプ３で連結した構造である。
【０００３】
そして、前記オイルフィルタ７は、有底円筒形をしていて周側面にナイロン製のメッシュ２２５番の網等でできた細目フィルタ７ａを具備し、底面の中央部にキャップ１ａの弁機構を開閉するボス７ｆを設け、上面に油受皿２の上面に開口した円形穴２ａの上縁部に載置されるフランジ７ｇを備えており、オイルフィルタ７で給油タンク１から油受皿２に流出する灯油を細目フィルタ７ａで濾過し、油受皿２のポンプ６で気化器５に送油する構成となっていた。
【０００４】
この石油燃焼機は、燃焼部４での燃焼によって給油タンク１に灯油がなくなると、該給油タンク１のみ取り出して灯油の保管場所に持って行き、そこで給油タンク１に給油した後、油受皿２上の所定位置に載置して燃焼を再開することができるという給油上のメリットを有しているが、一方で、給油タンク１内に変質成分が混入して、それが原因で燃焼不良を起こすという問題があり、そのために特許文献１に示すように、給油タンク１内に変質成分を吸着してその変質成分が油受皿２内に流出しないように吸着手段を設けたものが提案されている。
【０００５】
【特許文献１】
特開２００１−２０８３３４号公報
【０００６】
【発明が解決しようとする課題】
しかし、上記した石油燃焼機においては、給油タンク１内の灯油に前記した変質成分のほかに微小に細かい金属鉱物系の異物が混入している場合があり、これが灯油とともに給油タンク１のキャップ１ａから流出すると、油受皿２内のオイルフィルタ７に具備した細目フィルタ７ａを通過してしまったり、温度差により給油タンク１から油受皿２に勢いよく流出するために起こるオーバーフローにより、細目フィルタ７ａを通過しないで油受け皿２内に流出して浮遊し、それがポンプ６の内部に吸い上げられてポンプ６内部を腐食させる原因となっていた。
【０００７】
【課題を解決するための手段】
本発明は、上述の課題を解決するためになされたものであり、具体的には、給油タンクの下面に弁機構を有するキャップを着脱自在に取り付け、この給油タンクからの灯油を受ける油受皿にキャップを包囲するようにオイルフィルタを具備し、油受皿と燃焼部の気化器をポンプを介して送油パイプで連結したカートリッジ式石油燃焼機において、前記オイルフィルタは有底円筒形で周側面に細目フィルタを具備し、底面の中央部にキャップの弁機構を開閉するボスを設け、上面に油受皿の上面に開口した円形穴の上縁部に載置されるフランジを備え、細目フィルタの外周に有底円筒状の磁化フィルタを具備し、前記フィルタと磁化フィルタの底面間に磁化フィルタと磁気的につながる磁性体を具備したものである。
【０００８】
このように構成したことにより、オイルフィルタの細目フィルタを通過したり、温度差により給油タンクのキャップから油受皿に勢いよく流れ出るために起こるオーバーフローにより細目フィルタを通過しなかった微小に細かい金属鉱物系の異物を磁性体と磁気的につながる磁化フィルタの磁力により吸着させ、油受皿に浮遊する金属鉱物系の異物の量を減らし、ポンプの内部に吸い上げられてポンプ内部を腐食させる現象を抑えるものである。
【０００９】
【発明の実施の形態】
以下、本発明の一実施例を図面中の図１及び図２に従って説明する。
【００１０】
図１は上記した図３と同様の構成であり、給油タンク１の下面に弁機構を有するキャップ１ａを着脱自在に取り付け、この給油タンク１からの油を受ける油受皿２にキャップ１ａを包囲するようにオイルフィルタ７を具備し、油受皿２と燃焼部４の気化器５をポンプ６を介して送油パイプ３で連結している。２ｂは油受皿２の定常油面である。
【００１１】
次に、図２において、オイルフィルタ７は樹脂により成形されていて油受皿２とは磁気的に絶縁されており、全体が有底円筒形をしていて周側面が枠体７ｄとなっており、その枠体７ｄにナイロン製のメッシュ２２５番の網等でできた円筒状の細目フィルタ７ａを溶着等により具備し、底面の中央部にキャップ１ａの弁機構を開閉するボス７ｆを設け、上面に油受皿２の上面に開口した円形穴２ａの周縁部に載置されるフランジ７ｇを備えている。
【００１２】
また、枠体７ｄ及び細目フィルタ７ａの外周には有底円筒状の磁化フィルタ７ｂがはめ込まれ、フィルタ７と磁化フィルタ７ｂの底面間に磁化フィルタと磁気的につながる略ドーナツ形の磁性体７ｃを具備しており、この磁性体７ｃとフィルタ７及び磁化フィルタ７ｂをフィルタ７と磁化フィルタ７ｂの底面中央部に設けた連結部７ｅにより一体的に固定している。磁化フィルタ７ｂは給油タンク１から油受皿２に流出する灯油が阻害されないように適宜メッシュのものが用いられている。
【００１３】
これにより、有底円筒形の磁化フィルタ７ｂは、磁性体７ｃを囲み、フランジ７ｇより下の部分の枠体７ｄと細目フィルタ７ａをスッポリ囲み、連結部７ｅが嵌まり固定されるものである。そして、磁化フィルタ７ｂは磁性体７ｃと磁気的につながり、灯油内に浸るものである。
【００１４】
次に、その動作について説明する。
【００１５】
上記のように、給油タンク１の灯油を受ける油受皿２内の定常油面が保たれる使用中に細目フィルタ７ａと磁性体７ｃと磁化フィルタ７ｂが灯油の中に没しており、ポンプ６で油を汲み上げて使用することにより給油タンク１内の灯油が細目フィルタ７ａと磁化フィルタ７ｂを通して、油受皿２に流入する。
【００１６】
このとき、油受皿２に流入して浮遊する金属鉱物系の異物は、磁性体７ｃとこの磁性体７ｃによって磁化されている磁化フィルタ７ｂの磁力により吸着され、浄化された灯油のみがポンプ６内に進入して継続して汲み上げられ、気化器５に送られ、そこで気化して燃焼部４で燃焼する。
【００１７】
これにより、油受皿２に浮遊する金属鉱物系の異物の量を減らし、ポンプ６の内部に吸い上げられてポンプ内部を腐食させる現象を抑えることができるものである。
【００１８】
【発明の効果】
以上説明したように、本発明は請求項１のように構成にしたことにより、給油タンクから灯油とともに油受皿に流入した金属鉱物系の異物は磁性体と磁化フィルタの磁力により吸着され、浄化された灯油のみがポンプ内に進入して継続して汲み上げられる状態となる。
【００１９】
これにより、油受皿に浮遊する金属鉱物系の異物の量を減らし、ポンプの内部に吸い上げられてポンプ内部を腐食させる現象を抑えることができるものである。
【図面の簡単な説明】
【図１】本発明の一実施例を示すカートリッジ式石油燃焼機の概略構造図である。
【図２】本発明のオイルフィルタの要部概略構造図である。
【図３】従来例のカートリッジ式石油燃焼機の概略構造図である。
【図４】従来例のオイルフィルタの要部概略構造図である。
【符号の説明】
１    給油タンク
１ａ  キャップ
２    油受皿
３    送油パイプ
４    燃焼部
５    気化器
６    ポンプ
７    オイルフィルタ
７ａ  細目フィルタ
７ｂ  磁化フィルタ
７ｃ  磁性体
７ｄ  枠体
７ｅ  連結部
７ｆ  ボス
【図１】
2004286263.tif 000003
【図２】
2004286263.tif 000004
【図３】
2004286263.tif 000005
【図４】
2004286263.tif 000006